(57)【要約】【課題】側溝の溝蓋の着脱において、重量のある溝蓋を機動性良く軽快に脱着でき、その準備や移動また片付け等も迅速にできる吊上装置を提供する。【解決手段】全体を梃子式とし、作用点に溝蓋の側部を挟持する挟持吊上部を設け、力点に取手部を、支点にキャスター付きの支持部で構成し、該吊上部を溝蓋を挟持する挟持板を挟持リンクの一端に取着し、左右を対に連結リンクに枢着し、該挟持リンクの他端を吊アームに係止して、吊アームを回傾動可能にフレームに枢着して、吊上部とした。【選択図】図１
2004076509.tif 000002
【特許請求の範囲】
【請求項１】
後端部に取手部が設けられ、先端部に溝蓋等の荷役材吊上げ部を設けたフレームの先端部寄り下部に遊転自在なキャスターを設けて、該フレームをキャスター近傍の支点回りに側面視でシーソー揺動可能に構成した吊上機において、前記吊上げ部を構成するのに、フレームの先端部に横方向の吊アームを配設し、該吊アームの両端下部に吊リンクを介して上下方向に伸縮可能なＸ字状の挟持リンクを設け、該挟持リンクの下部両端に荷役材の両側面を挟持する挟持面をもつ挟持部材を各々装着すると共に、各挟持リンクの挟持部材近傍部を横方向の連結アームにて枢着可能に連結し、前記Ｘ字状の挟持リンクが伸長／縮小する吊アームの上昇／下降位置に応じて左右の挟持部材の対向距離を接近／離間自在に構成したことを特徴とする溝蓋等の荷役材吊上機。
【請求項２】
フレームの先端部に前後方向回動可能に吊部材を垂設し、該吊部材に水平面内で回動可能に吊アームを配設し、フレームに対して吊りアームを回傾動可能にフレームに枢着したことを特徴とする請求項１記載の溝蓋等の荷役材吊上機。
【請求項３】
挟持リンクの下部両端に設けられる挟持部材の装着位置を変更可能に構成したことを特徴とする請求項１記載の溝蓋等の荷役材吊上機。
【請求項４】
上部の吊アーム若しくは下部の連結リンクにフック部材を回動可能に枢着し、該吊アーム若しくは連結リンクにフック止め部材を配設し、前記フック部材をフック止め部材にロックする方向に弾持する弾性部材を設ける共に該フック部材をフック止め部材から解除する遠隔操作部を取手部若しくは取手部近傍に設けたことを特徴とする請求項１、２記載の溝蓋等の荷役材吊上機。
【発明の詳細な説明】
【０００１】
【発明の属する技術分野】
本発明は側溝等の溝蓋を取外したり、取付けたりする場合に使用される溝蓋の吊上装置に関し、更にはコンクリートブロックや歩道敷板その他類似の重量物を吊り上げて荷役移動する場合にも活用できる溝蓋等の荷役材吊上機に関するものである。
【０００２】
【従来の技術】
溝蓋を、側溝等に取付けたり、取外す作業は、一般的には人手によって行われており、軽いものは良いが、人手では持ち運びできない重量のあるものは、手作業では非常に困難である。そこでこれを簡単にするために、例えば特開平８―２２５１２３号公報に側溝具の開閉具が提案され、或いは特開平９―４０３７号公報にコンクリート製側溝蓋の挟持装置が提案されている。
【０００３】
【発明が解決しようとする課題】
本発明は、人手では簡単に持ち運びすることのできない重量のある溝蓋を、簡便に吊上げ、移動させることのできる吊上機を提供することを目的とすると共に、上記従来技術に提示した提案例のものより溝蓋の挟持力を強くし、溝蓋の昇降もより抵抗少なくして更に使い勝手を良くした溝蓋等の荷役材吊上機を提供することを解決課題とする。
【０００４】
【課題を解決するための手段】
上記課題を解決するために、本発明は第一に、後端部に取手部が設けられ、先端部に溝蓋等の荷役材吊上げ部を設けたフレームの先端部寄り下部に遊転自在なキャスターを設けて、該フレームをキャスター近傍の支点回りに側面視でシーソー揺動可能に構成した吊上機において、前記吊上げ部を構成するのに、フレームの先端部に横方向の吊アームを配設し、該吊アームの両端下部に吊リンクを介して上下方向に伸縮可能なＸ字状の挟持リンクを設け、該挟持リンクの下部両端に荷役材の両側面を挟持する挟持面をもつ挟持部材を各々装着すると共に、各挟持リンクの挟持部材近傍部を横方向の連結アームにて枢着可能に連結し、前記Ｘ字状の挟持リンクが伸長／縮小する吊アームの上昇／下降位置に応じて左右の挟持部材の対向距離を接近／離間自在に構成したことを特徴とするものである。
【０００５】
第二に、フレームの先端部に前後方向回動可能に吊部材を垂設し、該吊部材に水平面内で回動可能に吊アームを配設し、フレームに対して吊りアームを回傾動可能にフレームに枢着したことを特徴とし、第三に、挟持リンクの下部両端に設けられる挟持部材の装着位置を変更可能に構成したことを特徴とする。そして第四に、上部の吊アーム若しくは下部の連結リンクにフック部材を回動可能に枢着し、該吊アーム若しくは連結リンクにフック止め部材を配設し、前記フック部材をフック止め部材にロックする方向に弾持する弾性部材を設ける共に該フック部材をフック止め部材から解除する遠隔操作部を取手部若しくは取手部近傍に設けたことを特徴とする溝蓋等の荷役材吊上機を提供することにより上記課題を解決したものである。
【０００６】
【発明の実施の形態】
本発明の溝蓋等の荷役材吊上機を図面に示す一実施形態により説明する。図１に示すように、角鋼管部材よりなるフレーム１の後端部に角ハンドル状の取手部２が設けられ、フレーム１の先端部に溝蓋２２等の荷役材吊上げ部Ｌが吊設されている。該フレーム１の先端部寄り下部に車軸２１ａ回りに遊転自在なキャスター２１が設けてあり、該フレーム１は前記車軸２１ａを支点として側面視でシーソー揺動可能に構成されている。従って、作業者がフレーム１の取手部２を把持して後端部を下降させフレーム１の先端部を地面より離間上昇させた状態で、キャスター２１により任意箇所への移動が容易にできるように構成される。
前記溝蓋２２等の荷役材吊上げ部Ｌの構成を説明する。フレーム１の先端部に前後方向回動可能にＵ字形状の吊金具からなる吊部材１１をボルト１４、ナット１５で垂設し、該吊部材１１にボルト１２、ナット１３で枢支して水平面内で回動可能に横方向の吊アーム９を配設し、フレーム１に対して吊りアーム９を回傾動可能に枢着させてある。
【０００７】
該吊アーム９の両端下部に吊リンク１０、１０を介して上下方向に伸縮可能なＸ字状の挟持リンク３、３を設け、該挟持リンク３、３の下部両端に溝蓋２２等の荷役材の両側面を挟持する挟持面をもつ平板状の挟持部材４、４を各々装着すると共に、各挟持リンク３、３の挟持部材４、４近傍部３ａ、３ａを横方向の連結アーム５にてピンで枢着可能に連結する。そして、前記挟持板４を挟持リンク３の一端に、溝蓋２２等の荷役材の幅に応じて位置調整する様に、係合孔４ａまたは４ｂにピン６、平ワッシャー７および松葉ピン８で取着し、該挟持リンク３を対向させて連結アーム５に、挟持時の挟持支点となる係合孔３ａにピンで枢着し、作用点となる挟持板４までの腕長さと、力点となる係合孔３ｂまでの腕長さを変更可能にして、溝蓋２２等の荷役材を掴む時の梃子となし該係合孔３ｂを上方の吊アーム９にピンで吊リンク１０で枢着されている。
これにより、前記Ｘ字状の挟持リンク３、３が伸長する吊アーム９の上昇位置では左右の挟持部材４、４の対向距離を接近させて、該挟持部材４、４で溝蓋２２等の荷役材の両側面を挟持して吊り上げ可能とする。また、前記Ｘ字状の挟持リンク３、３が縮小する吊アーム９の下降位置では左右の挟持部材４、４の対向距離を離間させて溝蓋２２等の荷役材の両側面の幅より拡げるように構成されるものである。
【０００８】
尚、前述の通り、吊アーム９は吊金具１１にボルト１２とナット１３で水平面の方向に沿って回動自在に蝶着し、更にフレーム１にボルト１４、ナット１５で前後方向に傾動自在に蝶着して、フレーム１に対して回傾動可能に構成し吊上げ時の作用点となし、作用として、傾動構成は溝蓋２２の吊上げ時の水平維持に効果を発揮し、また回動構成は溝と直行または平行等の溝蓋２２の設置場所のスペースに対応した作業方向を容易にとるための効果を発揮するものである。
【０００９】
また、上下方向に伸縮可能なＸ字状の挟持リンク３、３を縮小した状態に維持できるロック装置が設けてある。即ち、上部の吊アーム９にフック部材１６をボルト１８で回動可能に枢着し、下部の連結アーム５にピン５ａ等のフック止め部材を配設し、該フック部材１６をフック止め部材５ａにロックする方向に弾持するねじりバネ１７等の弾性部材とフック部材１６のオーバーストロークを防止するストッパーピン１６ａを設けて、該フック部材１６を、挟持板４が溝蓋２２の幅より少し広めになる様に挟持リンク３を縮小した状態でフック止め部材５ａに引掛けるよう構成されている。そして、該フック部材１６には、フック部材１６をフック止め部材５ａから解除する遠隔操作手段としてのワイヤー１９が連結されており、該ワイヤー１９はフレーム１内を挿通して取手部２近傍若しくは取手部２まで張設して操作時に引く遠隔操作部としてのワイヤー環２０に連結されている。
【００１０】
なお、上記ロック装置のフック部材１６を連結アーム５に設け吊アーム９にピン等のフック止め部材を配設しても良い。また、上記ねじりバネ１７を、同等の作用をする引っ張りバネ、圧縮バネ等に替えても良い。また、遠隔操作部としてのワイヤー環２０は操作部材として汎用的に使用されている握りレバーや操作レバー等に替えても良く、更に、挟持部材４、４の挟持面に挟着固定をより確実にするゴム、皮、布等の滑り防止用の摩擦部材を貼着するようにしても良い。因みに本実施形態ではフレーム１をキャスター２１の車軸２１ａを支点として側面視でシーソー揺動可能に構成されているものを示したが、キャスター２１を前後複数輪の構成にした場合にはシーソー不能となるので車軸以外のキャスター２１近傍に支点を設けるようにしても良く、各部の構成要素を本発明の趣旨に添う技術思想で構成変更することは本発明の範疇と解されるものである。
【００１１】
以上総括して、吊上機全体を見ると図１に示すように、挟持板４の挟持部を作用点に、キャスター２１を支点とし、取手２を力点とした梃子式の荷役材吊上機としている。また荷役材吊上機全体の重心Ｇはキャスター２１より先端部側に位置するよう設定されているので、不使用時には先端の溝蓋２２等の荷役材吊上げ部Ｌが下降着地し取手部２を上昇位置とした前低後高状のフレーム１姿勢として安定状態で安置することができる。
【００１２】
次に、動作について説明すると、先ず、先端の溝蓋２２等の荷役材吊上げ部Ｌが下降着地した前低後高状のフレーム１の取手部２を把持して押し下げ、荷役材吊上げ部Ｌを地面より離間させて上昇位置とした状態でキャスター２１により機動性良く軽快・円滑に目的位置に移動させる。この時、上下方向に伸縮可能なＸ字状の挟持リンク３、３はロック装置で縮小した状態に維持されている。そして、例えば溝蓋２２の場合には溝蓋２２両側面に形成される凹陥部２２ａ、２２ａに挟持板４、４を上方より臨ませて差し込むと、重心位置Ｇの関係で自重により挟持板４、４基部のホルダ筒部の下縁が溝蓋２２の上縁に当接するまで下降する。
【００１３】
この状態で取手２近傍のワイヤー環２０を引いて挟持リンク３、３のロック装置を解除し、取手部２をゆっくりと下方に押し下げれば、挟持板４、４基部のホルダ筒部の下縁が溝蓋２２の上縁に当接したままの状態で吊アーム９が上昇しＸ字状の挟持リンク３、３が徐々に伸長して挟持板４、４の対向間隙が漸次巾狭になり、溝蓋２２両側面に形成される凹陥部２２ａ、２２ａを狭着する。そして更に取手部２を下方に押し下げれば吊アーム９が上昇して挟持板４、４の対向間隙を更に狭める方向の挟持力が増大されて溝蓋２２の挟着力を強固なものとして溝蓋２２を吊上げることができる。この場合吊アーム９がフレーム１先端に回傾動自在に吊設されているので、溝蓋２２を垂直方向に上昇させることが容易になり吊上げ作用を抵抗少なくして円滑に遂行できる。
【００１４】
そして溝蓋２２を狭着保持して吊上げた状態で荷役材吊上機をキャスター２１により機動性良く移動し、所望位置で取手２を上方にシーソー作動させ吊アーム９を自重で下降させれば、溝蓋２２が着地し更に吊アーム９が下降すると挟持板４、４の対向間隙が拡がり溝蓋２２の保持を解除しロック装置のフック１６が自動的に引掛り挟持リンク３、３が縮小状態で固定され溝蓋が外せる。爾後、この動作の繰返しとなる。
【００１５】
また、取外した溝蓋２２を側溝に取付ける場合にも上記作用に準じて作業をすることができ、側溝に溝蓋２２を嵌め戻す時にも吊アーム９がフレーム１先端に回傾動自在に吊設されているので、溝蓋２２を垂直方向に下降させることが容易になり嵌め戻し時の溝蓋２２の取付け作業も抵抗少なくして軽快に効率的に遂行できる。
【００１６】
上記はコンクリート製溝蓋の例で説明したが、方式の異なる格子状の溝蓋はもちろんサイズの異なる溝蓋でも挟持板位置をかえることにより適用可能となり、溝蓋以外のコンクリートブロックや歩道敷板その他類似の重量物を吊上げて荷役移動する場合にも同様に労力を少なくして便利に活用することができる。
【００１７】
【発明の効果】
以上のように、請求項記載の発明によれば、吊上機を溝蓋上に移動して、作業方向をきめリンク固定フックを外し、取手部を押し下げるだけで梃子の作用により小さな力で、また回傾動作用点により良好な姿勢で溝蓋を極めて簡単に吊上げ、移動或いは吊下ろすことができる。また、図１に示すように全体を単純に構成したことにより、装置をコンパクトにすることができ機動性も向上でき、また、持ち運びも簡単になった。
【図面の簡単な説明】
【図１】本発明の全体斜視図である。
【図２】本発明の要部斜視図である。
【図３】本発明の要部正面作用図である。
【図４】本発明の要部正面作用図である。
【図５】本発明の要部正面作用図である。
【符号の説明】
１　フレーム
２　取手
３　挟持リンク
４　挟持板
５　連結アーム
９　吊アーム
１０　吊リンク
１１　吊部材
１６　フック部材
１７　ねじりバネ
１９　ワイヤー
２０　ワイヤー環
２１　キャスター
２２　溝蓋
【図１】
2004076509.tif 000003
【図２】
2004076509.tif 000004
【図３】
2004076509.tif 000005
【図４】
2004076509.tif 000006
【図５】
2004076509.tif 000007